(57)【要約】【課題】  コストダウンを図ることができ、購入者にとっても利便性の高い組立家具を提供する。【解決手段】  組立家具１は、複数の板部材２を組み合わせて作ることができる。板部材２は、すべて同じ形状および寸法である。板部材２は、長手方向Ｙに延びる両側部２１，２１と、幅方向Ｘに延びる両端部２２，２２を有し、前記一方の側部からその内側へ延びる複数の凹部２３を備える。凹部２３は、等間隔に長手方向Ｙに離間して配置される。両端部２２には一対の切欠き部２４が配置される。凹部２３の長手方向Ｙにおける寸法は、板部材２の厚さ方向Ｚにおける寸法よりも大きく、かつ切欠き部２４の長手方向Ｙにおける寸法の２倍よりも大きい。【選択図】図１
0003204781.tif 000002
【実用新案登録請求の範囲】
【請求項１】
複数の板部材を含み、
複数の前記板部材は、同一形状および同一寸法であるとともに、
等間隔に長手方向に離間して配置される複数の凹部と、
前記長手方向両端に配置される一対の切欠き部とを備え、
前記凹部の前記長手方向における寸法が、前記板部材の厚さ方向における寸法よりも大きく、かつ、前記切欠き部の前記長手方向における寸法の２倍よりも大きいことを特徴とする組立家具。
【考案の詳細な説明】
【技術分野】
【０００１】
この考案は、専門知識や特別な技術を有さない者でも容易に組み立てることができる組立家具に関し、より詳細には、用途に応じた形状とすることができる組立家具に関する。
【背景技術】
【０００２】
従来、複数の板状の部材を組み合わせることによって棚などの家具を作ることができる組立セットが知られる。板状の部材は複数種類の形状、大きさを有し、これらを任意で組み合わせることによって用途に応じた形状、大きさに棚を仕切ることができる。
【先行技術文献】
【特許文献】
【０００３】
【特許文献１】特開２００６‐１０２３２２号公報
【考案の概要】
【考案が解決しようとする課題】
【０００４】
しかしながら、大きさや形状の異なる複数種類の板状の部材を用意しなければならず、その分コストが高くなるという問題がある。また、組立セットの購入者としても、不要な部材や足りない部材が出てしまう可能性がある。
【０００５】
この考案では、コストダウンを図ることができ、購入者にとっても利便性の高い組立家具を提供することを課題とする。
【課題を解決するための手段】
【０００６】
この考案に係る組立家具は、
複数の板部材を含み、
複数の前記板部材は、同一形状および同一寸法であるとともに、
等間隔に長手方向に離間して配置される複数の凹部と、
前記長手方向両端に配置される一対の切欠き部とを備え、
前記凹部の前記長手方向における寸法が、前記板部材の厚さ方向における寸法よりも大きく、かつ、前記切欠き部の前記長手方向における寸法の２倍よりも大きいことを特徴とする組立家具。
【考案の効果】
【０００７】
この考案の組立家具によれば、複数の板状部材は、すべて同じ形状および寸法であるので、複数の形状および大きさのものを製造するよりもそのコストを低減することができる。また、購入者としても複数の大きさのものを揃える必要がなく、より気軽に組立家具の制作を楽しむことができる。
【図面の簡単な説明】
【０００８】
【図１】この考案の組立の一実施形態を示す分解斜視図。
【図２】使用例のひとつを示す斜視図。
【図３】図２の分解斜視図。
【図４】他の使用例を示す斜視図。
【考案を実施するための形態】
【０００９】
図１を参照すれば、組立家具１は、複数の板部材２を組み合わせて作ることができる。板部材２は、すべて同じ形状および寸法であり、長手方向Ｙ、長手方向Ｙに直交する幅方向Ｘ、長手方向Ｙおよび幅方向Ｘにそれぞれ直交する厚さ方向Ｚを有する。板部材２は、長手方向Ｙに延びる両側部２１，２１と、幅方向Ｘに延びる両端部２２，２２を有し、一方の側部２１からその内側へ延びる複数の凹部２３を備える。凹部２３は、等間隔に長手方向Ｙに離間して配置される。両端部２２には一対の切欠き部２４が配置される。凹部２３の長手方向Ｙにおける寸法は、板部材２の厚さ方向Ｚにおける寸法よりも大きく、かつ切欠き部２４の長手方向Ｙにおける寸法の２倍よりも大きい。
【００１０】
この実施形態において、板部材２の長手方向Ｙにおける寸法は約８８．０ｃｍであり、幅方向Ｘにおける寸法は約８．８ｃｍ、厚さ方向における寸法は約１．９ｃｍである。凹部２３の長手方向Ｙにおける寸法は約２．０ｃｍであり、幅方向Ｘにおける寸法は約４．６ｃｍである。隣接する凹部２３の離間寸法は約２０．０ｃｍであり、この実施形態において凹部２３は３つ設けられる。切欠き部２４の長手方向Ｙにおける寸法は約１．０ｃｍであり、幅方向Ｘにおける寸法は約４．６ｃｍである。このように、凹部２３の長手方向Ｙにおける寸法は、板部材２の厚さ方向Ｚにおける寸法よりも大きい。また、凹部２３の長手方向Ｙにおける寸法は、切欠き部２４の長手方向Ｙにおける寸法の約２倍である。
【００１１】
上記のような板部材２において、複数の板部材２の一方の板部材２の凹部２３に他方の板部材２の凹部２３を挿入するようにして組み立てることができる。すなわち、図面横方向に延びる板部材２Ａの凹部２３に、図面縦方向に延びる板部材２Ｂの凹部２３を挿入する。より具体的には、凹部２３が形成された側部２１を互いに対向させるとともに、これらが直交するように組み立てる。組み立てた板部材２Ａおよび板部材２Ｂで区切られた空間を棚のひとつとして使用することができる。
【００１２】
また、一方の板部材２に対して、直交する他方の板部材２は最大５枚取り付けることができる。すなわち、図面横方向に延びる板部材２Ａの３つの凹部２３と、両端に位置する一対の切欠き部２４のそれぞれに、縦方向に延びる板部材２Ｂをそれぞれ取り付けることができる。なお、一方の板部材２のすべての凹部２３に他方の板部材２の凹部２３を嵌合する必要はなく、必要な棚の大きさに合わせて適宜間隔をあけて取り付けることもできる。このように、棚の大きさを任意で変更することができる。
【００１３】
また、板部材２はその長手方向Ｙに隣接して複数配置することもできる。このように板部材２を長手方向Ｙに連接した場合には、隣接する一方の板部材２の切欠き部２４と他方の板部材２の切欠き部２４とによって、凹部２３とほぼ同じ寸法および形状とすることができる。したがって、隣接する切欠き部２４によって形成された部分に、これに直交する板部材２の凹部２３を取付けることができる。板部材３を長手方向Ｙに隣接させることによって組立家具１全体の大きさを変更することができる。
【００１４】
図２および図３は、板部材２の組立例のひとつを示したものである。図示したように、図面横方向に延びるように並べた板部材２Ａと、これに直交するように図面縦方向に並べた板部材２Ｂがある。この実施形態において、図面横方向に延びる板部材２Ａは、図面縦方向に所与離間して５列配置される。また、図面横方向において２枚の板部材２Ａを連接している。さらに、上から１〜４列の板部材２Ａは等間隔に配置されるが、４列目の板部材２Ａと５列目の板部材２Ａとの間隔は、他の間隔の２倍とされる。図面縦方向に延びる板部材２Ｂは、図面横方向に所与離間して７行配置される。左から２，４，６行目における板部材２Ｂは、図面縦方向に２枚連接している。
【００１５】
上記のような組立例において、図面上半分においては、互いの凹部２３のすべてが嵌合されるように縦方向に延びる板部材２Ａと横方向に延びる板部材２Ｂとを組み合わせる。図面下半分においては、３つの凹部２３の真ん中の凹部２３においてのみ嵌合されるように組み合わせる。このように組み合わせることによって、組立家具１の上半分においては小さい棚を形成することができ、下半分においてはそれよりも大きな棚を形成することができる。すなわち、同じ形状の板部材２を複数用いることによって、異なる大きさの棚を形成することができる。異なる大きさの棚を形成するために複数の形状の板状部材を用意する必要がなく、より容易に所望の組立家具１を作成することができる。また、複数の形状の板状部材を製造する必要がないので、製造コストの低減を図ることができる。
【００１６】
図４は、さらに他の使用例を示したものである。図示したように板部材２の組み合わせ方によっては、大きさが異なる棚を作ることができるだけでなく、形状の異なる棚を作ることもできる。この実施形態において１，３，５，７列目の横方向に延びる板部材２Ａを１枚設置し、２，４，６列目の板部材２Ａを２枚連接して設置する。２，４，６列目の板部材２Ａは１列目の板部材２Ａに対して横方向へずらして設置する。同様に縦方向に延びる板部材２Ｂも隣接する板部材２Ｂに対して縦方向にずらして設置することができる。このように設置することによって、長方形の棚や、矩形以外の棚を作ることができる。
【００１７】
この考案の組立家具１によれば、その全体の大きさや形状も、板部材２を複数長手方向Ｙに隣接することによって任意に変更することができる。板部材２を長手方向Ｙに隣接したとき、隣接する切欠き部２４によって凹部２３と同じ形状を形成することができ、そこに直交する板部材２の凹部２３を嵌合することができる。また、複数の凹部２３および切欠き部２４のどこに直交する板部材２を嵌合させるかを任意で決定することができ、用途に合わせた大きさおよび形状の棚を容易に作ることができる。
【００１８】
上記のような組立家具１は、例えば壁に取付金具を用いて固定することができる。取付金具の位置や数は、収納する物の量や重さに応じて適宜選定することが望ましい。この考案における板部材２として、木材のほか、合成樹脂や金属と、この分野で用いられる一般的なものを用いることができる。
【符号の説明】
【００１９】
１    組立家具
２    板部材
２１    側部
２２    端部
２３    凹部
２４    切欠き部
【図１】
0003204781.tif 000003
【図２】
0003204781.tif 000004
【図３】
0003204781.tif 000005
【図４】
0003204781.tif 000006